(57)【要約】【課題】本発明はオストミー器具用のコネクタに関するものである。【解決手段】そして使用者の皮膚に取り付けられるホルダーに取り付けられる第１部材（１０）と、バッグに取り付けられる第２部材（２２）とを備えたオストミー器具用のコネクタに関している。前記第１部材（１０）は、開口部（１３）を規定し、可撓性材料でできており、さらに半径方向にある連続溝（１６）を有している。前記第２部材（２２）は、弾性リング（２４）とフラップ（２６）とを備え、前記フラップ（２６）は、前記弾性リング（２４）と前記弾性リング（２４）の周辺部との間に、前記弾性リング（２４）および前記周辺部に隣接した前記フラップ（２６）の各部分が相対的に動くのを可能にする連結していない前記変形可能な領域（２８）を備える。  本発明は、オストミー器具にも適用することができる。【選択図】  図６
2010521204.tif 000002
【特許請求の範囲】
【請求項１】
使用者の皮膚に取り付けられるホルダーに取り付けられる第１部材（１０）と、容器を形成するバッグに取り付けられる第２部材（２２）とを備えたオストミー器具用のコネクタであって、
−前記第１部材（１０）は、開口部（１３）を規定し、前記使用者の体の前記ホルダーが取り付けられる部分の形状の変化に適応できるように可撓性材料でできており、さらに前記開口部（１３）の周囲で半径方向にある連続溝（１６）を規定し、
−前記第２部材（２２）は、開口部（２３）を囲む弾性リング（２４）と、前記弾性リング（２４）と前記弾性リング（２４）の周辺部との間の平面に包括的に配置されたフラップ（２６）とを備え、前記第２部材（２２）の前記弾性リング（２４）の静止時の内径は、前記第１部材（１０）の前記溝（１６）の直径よりも小さく、前記フラップ（２６）はバッグの薄膜に固着するように設計されているオストミー器具用のコネクタにおいて、
さらに前記第２部材は、前記溝（１６）の上に位置する前記弾性リング（２４）の一部分だけに、前記オストミー器具の重量を加えるための装置を備え、
前記オストミー器具の重量を加える装置は、前記弾性リングと前記フラップとの間に広がる変形可能な領域から、および前記弾性リングの周辺部の少なくとも一部に形成されており、前記変形可能な領域は、前記バッグの重量が増大する場合、前記弾性リングの周囲で圧縮されることを特徴とする、
オストミー器具用のコネクタ。
【請求項２】
連結していない前記変形可能な領域（２８）は、前記フラップ（２６）に前記平面上に作用する力がかけられる場合、前記弾性リング（２４）に隣接した前記フラップ（２６）の一部と、前記周辺部に隣接した前記フラップ（２６）の一部とが、前記平面上で相対的に動くことを可能にすることを特徴とする、請求項１に記載のコネクタ。
【請求項３】
前記変形可能な領域（２８）は、使用者が立位の状態において最下部に位置する側において、最大限の変形能力を有することを特徴とする、請求項１又は２に記載のコネクタ。
【請求項４】
前記第２部材（２２）は、前記弾性リング（２４）に半径方向外側の力を加えるための、少なくとも１つの牽引ピン（３０′、３０″、３０″′）を有することを特徴とする、請求項１〜３のいずれか１項に記載のコネクタ。
【請求項５】
前記牽引ピンは、前記変形可能な領域（２８）よりも前記フラップ（２６）の内側に対して近い位置に取り付けられることを特徴とする、請求項４に記載のコネクタ。
【請求項６】
前記第２部材（２２）は、３つの牽引ピン（３０′、３０″、３０″′）を備え、前記ピンは約１３°で離間し、使用者が立位の状態において最下部に位置する側に対向して位置することを特徴とする、請求項４又は５に記載のコネクタ。
【請求項７】
前記弾性リング（２４）、前記フラップ（２６）、前記変形可能な領域、および前記ピン（３０′、３０″、３０″′）、から形成される前記第２部材（２２）は、適用可能ならば、１つの部材から形成されることを特徴とする、請求項１〜６のいずれか１項に記載のコネクタ。
【請求項８】
前記第１部材（１０）の前記溝（１６）は、前記ホルダーから最も遠い側面に、前記開口部（１３）の外側の半径方向の寸法が使用者が立位の状態において最下部に位置する側よりも大きい外側フランジ（１４）によって規定されることを特徴とする、請求項１〜７のいずれか１項に記載のコネクタ。
【請求項９】
前記第１部材の外側フランジ（１４）の前記半径方向の寸法は、前記第２部材（２２）上の１つのピン（３０′、３０″、３０″′）に対応する各位置において、より大きいことを特徴とする、請求項８に記載のコネクタ。
【請求項１０】
容器を規定する少なくとも２層の薄膜を備えるオストミー器具であって、一枚の薄膜が、請求項１〜９のいずれか１項に記載のコネクタの第２部材（２２）によって構成される１つの部材に取り付けられることを特徴とするオストミー器具。
【発明の詳細な説明】
【技術分野】
【０００１】
本発明は、オストミー器具（造痩器具）用のコネクタと、そのコネクタを備えるオストミー器具に関するものである。
【０００２】
オストミー器具（造痩器具）のコネクタには、現存している型が多くあり、主に機械式コネクタと接着コネクタという２つのカテゴリーに分類される。本発明は機械式コネクタに関するものである。
【背景技術】
【０００３】
オストミー器具用のコネクタは、主に２つの機能を有する。第１の機能は、特に排泄物を収容するときに、オストミー器具の重量を支えることであり、そして、第２の機能は、オストミー器具から液体およびガス（悪臭）が漏れないよう保持することである。しばしば使用者の要望により提示される追加的な機能とは、たとえ機械式取付け装置が故障しても、オストミー器具のホルダーからオストミー器具が分離しないよう保持するために、機械式取付けを固定するか、または、オストミー器具とそのホルダーとの間で重複して取り付けるかのどちらかによってもたらされる安全機能のことである。例えばこの機能は、前記機械式取付けが係合する場合、使用者に聞こえるノイズが発生するときに実行される。
【０００４】
大部分の機械式オストミー器具用コネクタにおいて、主な機械式ホルダーの機能およびシール機能は、別々の部材により実施される。より具体的には、第１部材は、別部材上の第１コネクタ部材を中央に置き、そして、変形可能な唇部のようなシールは、機械的支持とは異なる位置で、シールを形成する。この機械的支持の役割を果たす部分は、弾力的に変形可能ではなく、またはよりわずかな程度で弾性係合を可能にするだけで、前記シールを形成するためではない。
【０００５】
剛性部分が位置調整および支持のために協働するこれらの機械式コネクタは、唇部だけにおいて、通常患者が快適であるための十分な柔軟性が無い場合であっても、その薄さにより変形する弾性特性を示す。
【０００６】
すでに弊社はオストミー器具コネクタを考慮しており、そのコネクタには、患者に取り付けられるホルダー上に、半径方向外側にあり、かつ弾性リングが掛けられる溝が備えられている。半径方向の溝があるために、弾性リングは、一定の弾性の伸縮範囲を有しなければならない。しかし、このリングが弾性であるため、力がバッグにかかる際には、弾性リングは伸長しホルダーの溝を規定するフランジから分離しがちであると考えられる。この理由から、特許文献１にて説明されているように、弾性リングは、排泄物および悪臭を防ぐシール機能の用途にだけ使用され、その一方で別の装置が機械的にバッグの重量を支持する。上述した特許文献１において、この機械式支持装置は、使用者に取り付けられるホルダーの外側のフランジの周辺部に、バッグにより形成される首部を保持するリングを備える。
【先行技術文献】
【特許文献】
【０００７】
【特許文献１】仏国特許第２，３８７，６４３号
【発明の概要】
【発明が解決しようとする課題】
【０００８】
本発明は、オストミー器具用のコネクタに関しており、当該オストミー器具用のコネクタにおいて、部材の１つである弾性リングは、別の部材から半径方向に形成される溝に取り付けられ、その弾性リングは、たとえ容量を満たしていても排泄物と悪臭を密閉する役割、そしてオストミー器具を機械的に支持する役割を果たす。この効果は、前記弾性リングの周囲に、弾性リングにおいて上記の溝よりも上に位置する部分だけにオストミー器具の重量を加える装置を具備することにより達成される。したがって、この弾性リングの上部は、オストミー器具の重量が増大するとき、圧縮されることにより作用し、同時に効果的にシール機能および機械的支持機能を果たす。この装置は、例えば、弾性リングの下部が溝から離脱しないように、弾性リングの下部からオストミー器具の重量を軽減する変形可能な領域である。
【０００９】
より正確に言うと、本発明は、使用者の皮膚に取り付けられるホルダーに取り付けられる第１部材と、容器を形成するバッグに取り付けられる第２部材とを備えたオストミー器具用のコネクタに関する。本発明によると、第１部材は、開口部を規定し、使用者の体においてホルダーが取り付けられる部分の形状の変化に適応できるように可撓性材料でできており、さらに開口部の周囲で半径方向にある連続溝を規定する。そして前記第２部材は、開口部を囲む弾性リングと、前記弾性リングと前記弾性リングの周辺部との間の平面にフラップとを備え、前記第２部材の前記弾性リングの静止時の内径は、前記第１部材の前記溝の直径よりも小さく、前記フラップはバッグに固着するように設計されている。さらに前記第２部材は、前記弾性リングと前記フラップとの間において、前記溝の上に位置する前記弾性リングの一部分だけに、前記オストミー器具の重量を加えるための装置を備える。
【００１０】
望ましくは、溝の上に位置する弾性リングの一部分だけにオストミー器具の重量を加える装置は、連結していない変形可能な領域であり、前記フラップに上述の平面上に作用する力がかけられる場合、前記弾性リングに隣接した前記フラップの一部と、前記周辺部に隣接した前記フラップの一部とが、前記平面上で相対的に動くことを可能にする。
【課題を解決するための手段】
【００１１】
第１実施例において、変形可能な領域は、各半径方向において弾性リング周辺全体に形成され、そして収縮するよりも伸長する能力を有する。この場合、最大限の変形能力を有する場合の変形可能な領域がある側は、望ましくは、使用者が立位の状態において最下部に位置する。
【００１２】
第２の実施例において、変形可能な領域は、使用者が立位の状態において最下部に位置する側の弾性リングの部分を囲むだけである。
【００１３】
好ましくは、前記第２部材は、弾性リングに半径方向に外側の力を加える少なくとも１つの牽引ピンを有する。
【００１４】
また好ましくは、前記牽引ピンは、少なくとも前記フラップの内側に対して変形可能な領域よりも近い位置に取り付けられる。牽引ピンは、例えば、弾性リングに取り付けられる。
【００１５】
好ましくは、前記第２部材は、約１３°で離間し、使用者が立位の状態において最下部に位置する側に対向して位置する３つの牽引ピンを備える。
【００１６】
好ましくは、前記弾性リング、オストミー器具の重量を加える装置、前記フラップ、および前記ピンから形成される第２部材は、応用可能ならば、１つの部材から形成される。例えば、前記第２部材は、射出成形によって１つの部分で形成される。
【００１７】
好ましくは、前記第１部材の溝は、ホルダーから最も遠い側面に、開口部の外側の半径方向の寸法は使用者が立位の状態において最下部に位置する側よりも大きい外側フランジによって規定される。
【００１８】
好ましくは、第１部材の外側フランジの半径方向の寸法は、第２部材上の１つのピンに対応する各位置においてより大きい。
【００１９】
第１部材は、好ましくはエラストマーからなる。
【００２０】
オストミー器具用コネクタは、好ましくは、第１部材を第２部材に機械的に取り付ける過剰部材を備える。例えば、前記過剰部材は、フックおよびループ取付か、それともスナップである。
【００２１】
本発明はさらに、容器を規定する少なくとも２層の薄膜を備え、一枚の薄膜が、前述の段落に記載されたコネクタの第２部材によって構成される１つの部材に取り付けられるオストミー器具にも関するものである。
【００２２】
前記第２部材は、好ましくは、はんだ付けまたはペーストのいずれかによって薄膜に連結される。
【発明の効果】
【００２３】
本発明のコネクタの第１の優位性は、２つのコネクタ部材の各々が、射出成形によって１つの部材で容易に形成することができるため、より低コストであることである。
【００２４】
本発明のコネクタの第２の優位性は、両方のコネクタ部材が可撓性であり、それによってより良好な快適さを使用者に提供することである。
【００２５】
本発明のコネクタの第３の優位性は、フランジの広大な部分は使用者に十分な安心感を与えることができ、全ての過剰接続装置が離脱可能であることにある。
【００２６】
本発明の他の特性および優位性は、添付の図面に関し、以下の記載を読み込むことでより十分に理解される：
【図面の簡単な説明】
【００２７】
【図１】使用者の皮膚に接着されるホルダーに取り外されることがないように取り付けられる、本発明のオストミー器具用のコネクタの第１部材の輪郭概略図である。
【図２】図１の線Ａ−Ａを通る断面図である。
【図３】図１および図２の第１部材と連係する本発明のオストミー器具用のコネクタの第２部材の輪郭概略図である。
【図４】図３の線Ｂ−Ｂを通る断面図である。
【図５】図４の左側部分の拡大図である。
【図６】図１と図３の断面線Ａ−ＡおよびＢ−Ｂの断面図に従う該当箇所における本発明のオストミー器具用のコネクタの断面図である。
【図７】図１と類似しているが、本発明のオストミー器具用のコネクタの第１部材の別の形態を示す図である。
【図８】図３と類似しているが、本発明のオストミー器具用のコネクタの第２部材の別の形態を示す図である。
【発明を実施するための形態】
【００２８】
本発明のオストミー器具用のコネクタは、標準の使用状態の下で使用されることを目的とする。これらのオストミー器具用のバッグは、通常、１リットル未満の最大容量を有する。従って、オストミー器具全体の重量は、常に１ｋｇ未満である。従ってオストミー器具の密封と気密性を確認するために加えられる力は、この重量に対応する力より少なくとも２倍、または少なくとも２０Ｎでなければならない。現在、静的密封実験は使用されており、それにより、水で満たされかつ水平に設置されたオストミー器具に２００Ｎの力がかけられる。
【００２９】
本発明のオストミー器具用のコネクタの作用位置を説明する前に、上述の２つの部材は、別々に考慮される。
【００３０】
前記コネクタの第１部材１０は、使用者の皮膚に接着されるゴム・ワッシャによって、取り外せないように保持されるフラップ１２を備える。このフラップ１２は、円形の中心開口部１３を囲む。
【００３１】
前記フラップ１２とは別のフランジ１４は、フラップと共に、半径方向に湾曲した溝１６を規定する。好ましくは、フランジ１４は、図面参照番号１８と、使用者が立位の状態であるときに最上部に位置するフランジ１４の部分から約１４０°で区切られている２つの位置２０で示されるように、その周辺部の様々な位置、特に使用者が立位の状態であるときの最下部に位置する部分において幅が広くなっている。
【００３２】
第１部材１０は、使用者の皮膚の湾曲に適応可能な優れた柔軟性を有する。したがってそれは、オレフィン、そしてエチレンやプロピレンなどの酢酸ビニル共重合体エラストマーから製造することができる。
【００３３】
第２部材２２は、中心開口部２３の周囲に、フラップ２６に取り付けられる弾性リング２４を備える。前記弾性リング２４は円形の断面を備えるのが好ましく、弾性リングで規定される中心開口部２３の静止時の内径は、第１部材の溝１６の直径よりも小さい。
【００３４】
また、第２部材２２は、フラップ２６と弾性リング２４との間に、フラップ２６の片側にＵ形状の褶曲の形で示される変形可能な領域２８を備える。より具体的には、変形可能な領域２８は、前記開口部２３から外側に面する弾性リング２８の外側周辺部を、開口部２３に面するフラップ２６の内側周辺部に接続して、弾性リング２４の周囲で半径方向に広がる。
【００３５】
上述の考えられた実施例において、この変形可能な領域は、前記溝の上に位置する弾性リングの一部分だけに本発明のオストミー器具の重量を加える装置を構成する。しかしこの装置は、他の多くの形状を有することもできる。例えば、前記変形可能な領域は、隣接した２つの連続的な褶曲を有したり、または一方が外側で他方が内側へと湾曲するＺ形状を有したりしてもよい。
【００３６】
別の形態において、この変形可能な領域は、使用者の立位状態における下部に対応する弾性リング２４の外側周辺部の一部分だけに対して広がる。この場合、変形可能な領域のない弾性リング２４の外側周辺部の部分において、弾性リング２４は、直接フラップ２６の内側周辺部に取り付けられる。
【００３７】
また、第２部材は、好ましくは、３つのピン（３０′、３０″、３０″′）を備え、それらのピンは、ピンが取り付けられる弾性リング２４の外側に向かって半径方向に突出する。（それらのピンは、弾性リング２４と変形可能な領域２８との間に位置するフラップの一部に取り付けられてもよい。）
【００３８】
ピン（３０′、３０″、３０″′）は、フラップ２６の周辺部から突出するように表示されているが、フラップの周辺部から突出することはできない。
【００３９】
前記ピンの役割は、後で更に詳細に記載されているように、第１部材１０の溝に弾性リングを配置する時、または、この溝から弾性リングを外すときに、弾性リング２４を伸ばすために使用者がピンを掴めるようにすることである。
【００４０】
第２部材２２はプラスチック材料、例えば、エチレン酢酸ビニルコポリマー、または好ましくはスチレン−エチレン／ブチレン-スチレンやスチレン−イソプレン−スチレン共重合体を射出して形成することができる。
【００４１】
前記コネクタの使用を説明する前に、図６に関する２つの部材の協働を考慮する。
【００４２】
図６において、帯状のホルダーは、使用者の皮膚３１に接着され、かつオストミー器具が位置する中心開口部３３を有するゴム・ワッシャ３２でできている。前記コネクタの第１部材１０は、この場合、接着剤によって前記ゴム・ワッシャ３２に取り外せないように取り付けられるフラップ１２を有する。前記ホルダーは、ゆえに、全面的に前記ゴム・ワッシャ３２および前記コネクタの第１部材１４から形成される。前記コネクタの第１部材の開口部１３は、前記ゴム・ワッシャの開口部３３に対応する。
【００４３】
第２部材２２のフラップ２６の周縁部は、バッグ上の薄膜３４の一部の開口部に沿って、位置３６においてしっかりとはんだ付けされ、弾性リング２４は、コネクタの第１部材の溝に嵌まり込む。
【００４４】
使用者が過剰取付装置を望むことを仮定し、図６の右側および第２部材のフラップ２６の外側部分で示されるように、局所的に広がる第１部材のフラップ１２の間に取り付けられるループとフックで、考えられる取付装置３８が概略的に示された。この取付装置３８は、スナップや他の適切な装置であってもよい。後述される図８は、前記過剰取付装置の別の形態を示す。しかし、その装置は、使用者に二重に保護されているという感覚を与えること以外には、本発明には全く必要がない。
【００４５】
オストミー器具を設置する場合、ゴム・ワッシャ３２から形成されたホルダーと、第１部材１０は、下方に向いているフランジ１４の拡張部１８を有し、図１に示す位置で、使用者の皮膚にすでに接着されている。
【００４６】
使用者は、コネクタの第２部材２２の２つのピン（３０″、３０″′）によってオストミー器具を掴み、前記拡張部１８の下に弾性リング２４の下部を配置する。上方へ押し上げることによって、使用者は、溝の下部に対して、弾性リングのこの下部を安定させる。それから使用者は、弾性リング２４を伸ばし、そして弾性リングがフランジ１４の２つの拡張部２０より上になるように、ピン（３０″、３０″′）を引き上げる。最後に、使用者は、上部のピン３０′を掴み、ピン３０′を引き上げ、ピン３０′を放すことで溝１６に弾性リング２４の対応している部分を嵌める。内径が溝１６の内径より小さい弾性リング２４は、その周囲全体で溝に対して弾力的に安定化される。このように封止が形成される。
【００４７】
バッグが徐々に満たされるにつれて、フラップ２６にかかる重量は増大する。したがって、フラップ２６の外側部分は、次第に下方向に移動する傾向がある。この時、変形可能な領域２８は、上部を圧縮し、下部から離れる。変形可能な領域２８は、Ｖ、ＵまたはＺ形状があることにより、前記下部が弾性リング２４の下部にかなりの力を伝えるのに十分に伸長される前に、フラップ２６の上部が圧縮され、オストミー器具の重量を支持する。
【００４８】
その結果、実際に溝から弾性リング２４の下部を離す力を伴わずに、溝に対する弾性リングの圧縮力として、重量は、フラップ２６によって弾性リング２４の上部に伝えられる。
【００４９】
バッグをホルダーから外さなければならない場合、使用者は最初に、弾性リング２４の対応箇所が溝１６の外側になるように、上部のピン３０′を掴んで上に引き上げる。それから、使用者は、弾性リング２４から残りを徐々に取り外すために、横のピン３０″と３０″′を溝１６の拡張部２０の上へと掴み、そして、バッグを下げ、取り外して内部を空にする。
【００５０】
フラップ２６はその外周面に沿って広がっている変形可能な領域２８を備えているが、この変形可能な領域は、一部の位置、例えばフラップ２６の下部外周だけに存在することができる。その上、そこには他の変形可能な領域が存在することが考えられる。例えば、上部にオストミー器具の重量を伝える好ましい軌道に沿って、フラップ２６の厚みを増加させてもよい。しかし、フラップ２６が局所的に硬くなりすぎることがあるため、このような解決案は、使用者にとって必ずしも快適ではない。
【００５１】
図１と類似している図７は、類似する部材を示している図１において同一の図面参照番号を有する本発明のオストミー器具のコネクタの第１部材の別の形態を示す。
【００５２】
この別の形態において、図１〜６において、オストミー器具のフランジ１４は、拡張部１８、２０だけでなく、上方へ向く拡張部４０も備えている。
【００５３】
使用者がピンで引っ張ることによって弾性リングを、オストミー器具を設置する場合に、弾性リングが拡張部４０を通過して、拡張部２０に達しない場合に、途中で中断することができる。例えば、使用者は、ピン３０″、３０″′をある側から弾性リングが一方の拡張部４０を通り過ぎるまで引張り、前記一方の拡張部４０の位置でピン３０″、３０″′をおそらく離し、もう一方の拡張部を通り過ぎるように、反対側でピン３０″、３０″′を掴む。
【００５４】
したがって、片手だけを使用してオストミー器具を取り付け、または取り外すことが可能である。１つの拡張部４０が各側面に示された場合であっても、その拡張部の幾つかを組み合わせることができ、一種の柵のような形状をなす。
【００５５】
図３と類似している図８は、類似する部材を示している図３において同一の図面参照番号を有する本発明のオストミー器具のコネクタの第２部材の別の形態を示す。
【００５６】
図８において、コネクタの第２部材は、その周辺部で耳状部４４を備えたフラップ４２からなる。これらの耳状部４４は、それぞれが第一部材からのリベット（図示せず）用の穴４６を有し、フラップ１２がこのようなリベットを有する図１において類似している。使用者が溝１６に弾性リング２４を配置するときに、１つ以上のリベットをフラップ４２の１つ以上の穴に差し込むことができる。リベットが対応する穴から外れない限り、コネクタを開くことができない。
【００５７】
コネクタに３つの牽引ピン（３０′、３０″、３０″′）を有する弾性リング２４が設けられているが、上方へ向いている１つのピン、または９０°で離間した２つのピンだけを使用することが可能である。また、オストミー器具を設置または取り外すために最も都合がいいと考えられるピンを使用者が選択できるように、３つ以上のピンを有することも可能である。
【符号の説明】
【００５８】
１０  第１部材
１２、２６、４２  フラップ
１３、２３、３３  中心開口部
１４  フランジ
１６  溝
１８、２０、４０  拡張部
２２  第２部材
２４  弾性リング
２８  変形可能な領域
３０′、３０″、３０″′  牽引ピン
３１  皮膚
３２  ゴム・ワッシャ
３４  薄膜
３６  位置
３８  取付装置
４４  耳状部
４６  穴
【図１】
2010521204.tif 000003
【図２】
2010521204.tif 000004
【図３】
2010521204.tif 000005
【図４】
2010521204.tif 000006
【図５】
2010521204.tif 000007
【図６】
2010521204.tif 000008
【図７】
2010521204.tif 000009
【図８】
2010521204.tif 000010
【手続補正書】
【提出日】平成21年6月12日(2009.6.12)
【手続補正１】
【補正対象書類名】特許請求の範囲
【補正対象項目名】全文
【補正方法】変更
【補正の内容】
【特許請求の範囲】
【請求項１】
使用者の皮膚に取り付けられるホルダーに取り付けられる第１部材（１０）と、容器を形成するバッグに取り付けられる第２部材（２２）とを備えたオストミー器具用の連結具であって、
−前記第１部材（１０）は、開口部（１３）を規定し、前記使用者の体の前記ホルダーが取り付けられる部分の形状の変化に適応できるように可撓性材料でできており、さらに前記開口部（１３）の周囲で半径方向にある連続溝（１６）を画定し、
−前記第２部材（２２）は、開口部（２３）を囲む弾性リング（２４）と、前記弾性リング（２４）と前記弾性リング（２４）の周辺部との間の平面に包括的に配置されたフラップ（２６）とを備え、前記第２部材（２２）の前記弾性リング（２４）の静止時の内径は、前記第１部材（１０）の前記溝（１６）の直径よりも小さく、前記フラップ（２６）はバッグの薄膜に固着するように設計されているオストミー器具用のコネクタにおいて、
さらに前記第２部材は、前記溝（１６）の上に位置する前記弾性リング（２４）の一部分だけに、前記オストミー器具の重量を加えるための装置を備え、
前記オストミー器具の重量を加える装置は、前記弾性リングと前記フラップとの間に広がる変形可能な領域から、および前記弾性リングの周辺部の少なくとも一部に形成されており、
前記変形可能な領域は、前記バッグの重量が増大する場合、前記変形可能な領域が上部で圧縮され前記弾性リングの下部で伸ばすことができるように、静止時にＶ、ＵまたはＺ形状の褶曲を有し、
前記溝の上部に対する前記弾性リングの圧縮力は、前記弾性リングの下部が前記溝の下部から離れて動かないようになっていることを特徴とする、
オストミー器具用のコネクタ。
【請求項２】
連結していない前記変形可能な領域（２８）は、前記フラップ（２６）に前記平面上に作用する力がかけられる場合、前記弾性リング（２４）に隣接した前記フラップ（２６）の一部と、前記周辺部に隣接した前記フラップ（２６）の一部とが、前記平面上で相対的に動くことを可能にすることを特徴とする、請求項１に記載のコネクタ。
【請求項３】
前記変形可能な領域（２８）は、使用者が立位の状態において最下部に位置する側において、最大限の変形能力を有することを特徴とする、請求項１又は２に記載のコネクタ。
【請求項４】
前記第２部材（２２）は、前記弾性リング（２４）に半径方向外側の力を加えるための、少なくとも１つの牽引ピン（３０′、３０″、３０″′）を有することを特徴とする、請求項１〜３のいずれか１項に記載のコネクタ。
【請求項５】
前記牽引ピンは、前記変形可能な領域（２８）よりも前記フラップ（２６）の内側に対して近い位置に取り付けられることを特徴とする、請求項４に記載のコネクタ。
【請求項６】
前記第２部材（２２）は、３つの牽引ピン（３０′、３０″、３０″′）を備え、前記ピンは約１３°で離間し、使用者が立位の状態において最下部に位置する側に対向して位置することを特徴とする、請求項４又は５に記載のコネクタ。
【請求項７】
前記弾性リング（２４）、前記フラップ（２６）、前記変形可能な領域、および前記ピン（３０′、３０″、３０″′）、から形成される前記第２部材（２２）は、適用可能ならば、１つの部材から形成されることを特徴とする、請求項１〜６のいずれか１項に記載のコネクタ。
【請求項８】
前記第１部材（１０）の前記溝（１６）は、前記ホルダーから最も遠い側面に、前記開口部（１３）の外側の半径方向の寸法が使用者が立位の状態において最下部に位置する側よりも大きい外側フランジ（１４）によって規定されることを特徴とする、請求項１〜７のいずれか１項に記載のコネクタ。
【請求項９】
前記第１部材の外側フランジ（１４）の前記半径方向の寸法は、前記第２部材（２２）上の１つのピン（３０′、３０″、３０″′）に対応する各位置において、より大きいことを特徴とする、請求項８に記載のコネクタ。
【請求項１０】
容器を規定する少なくとも２層の薄膜を備えるオストミー器具において、一枚の薄膜が、請求項１〜９のいずれか１項に記載のコネクタの第２部材（２２）によって構成される１つの部材に取り付けられることを特徴とするオストミー器具。
【国際調査報告】
2010521204.tif 000011
2010521204.tif 000012
2010521204.tif 000013
2010521204.tif 000014
2010521204.tif 000015
2010521204.tif 000016